(57)【要約】【課題】本発明は、気泡付着が少なく、かつ隣接する反応セル間でサンプル・試薬の相互汚染を防ぐことができる信頼性に優れた自動分析装置用反応セルの製造方法を提供することを目的とする。【解決手段】本発明は、自動分析装置用反応セルの製造方法において、反応セルの内側に挿入する、中空の形状を有する第１の電極と、反応セルの外側に対向配置される第２の電極を備え、前記第１の電極と前記第２の電極に印加する電圧で生じる放電により、少なくとも反応セルの内側表面に放電加工による親水化処理を施すとともに、前記放電加工で発生するオゾンを含む気体を、前記第１の電極により排気することを特徴とする。【選択図】図１
2011247904.tif 000002
【特許請求の範囲】
【請求項１】
試料と試薬を混合して濃度の測定をする自動分析装置用反応セルの製造方法において
、
反応セルの内側に挿入する、中空の形状を有する第１の電極と、反応セルの外側に対向配置される第２の電極を備え、
前記第１の電極と前記第２の電極に印加する電圧で生じる放電により、少なくとも反応セルの内側表面に放電加工による親水化処理を施すとともに、
前記放電加工で発生するオゾンを含む気体を、前記第１の電極により排気することを特徴とする自動分析装置用反応セルの製造方法。
【請求項２】
請求項１に記載された自動分析装置用反応セルの製造方法において、
前記反応セルの内側から排気される排気に含まれるオゾンを分解処理するガス分解装置を備えたことを特徴とする自動分析装置用反応セルの製造方法。
【請求項３】
請求項１に記載された自動分析装置用反応セルの製造方法において、
前記放電加工で発生するオゾンを含む気体を処理する処理ガスを前記第１の電極を介して前記反応セル内に供給する、ガス混合器を備えたことを特徴とする自動分析装置用反応セルの製造方法。
【請求項４】
請求項３に記載された自動分析装置用反応セルの製造方法において、
前記処理ガスは、稀釈ガスを含むことを特徴とする自動分析装置用反応セルの製造方法。
【請求項５】
請求項３または４に記載された自動分析装置用反応セルの製造方法において、
前記処理ガスを加熱することを特徴とする自動分析装置用反応セルの製造方法。
【請求項６】
請求項１に記載された自動分析装置用反応セルの製造方法において、
前記放電加工により前記反応セルの外回りに発生するオゾンを含む気体を排出、または稀釈を含む処置をすることを特徴とする自動分析装置用反応セルの製造方法。
【請求項７】
請求項６に記載された自動分析装置用反応セルの製造方法において、
前記反応セルの底部の下方に、発生したオゾンを含む気体を吸引して処理するガス分解装置を備えことを特徴とする自動分析装置用反応セルの製造方法。
【請求項８】
請求項６に記載された自動分析装置用反応セルの製造方法において、
発生するオゾンを含む気体を前記第２の電極より吸引して排出することを特徴とする自動分析装置用反応セルの製造方法。
【請求項９】
請求項１に記載された自動分析装置用反応セルの製造方法において、
前記反応セルは、上部が開口し、下部に閉じた底部がある容器形状を有し、
前記反応セルを逆さにして新水化処理を施すことを特徴とする自動分析装置用反応セルの製造方法。
【請求項１０】
請求項１に記載された自動分析装置用反応セルの製造方法において、
前記第１の電極は横方向の断面が矩形を有し、
前記第２の電極は、前記反応セルを介して前記第１の電極と対向する端面が扁平で、かつ平行に置かれることを特徴とする自動分析装置用反応セルの製造方法。
【請求項１１】
請求項１に記載された自動分析装置用反応セルの製造方法において、
前記第１の電極は放電するところが非放電のところよりも太く、
放電するところが非放電のところよりも前記第２の電極に近接していることを特徴とする自動分析装置用反応セルの製造方法。
【請求項１２】
請求項１に記載された自動分析装置用反応セルの製造方法において、
前記反応セルは、上部が開口し、下部に閉じた底部がある容器形状を有し、
前記親水処理の処理領域は反応セルの底部から開口に向かう途中まで存在し、
前記反応セルの深さ方向に沿う前記前記第２の電極の丈と前記処理領域の丈がほぼ同じ長さであることを特徴とする自動分析装置用反応セルの製造方法。
【請求項１３】
請求項１に記載された自動分析装置用反応セルの製造方法において、
前記第１の電極は先端が開口する中空の形状を有し、
前記第１の電極の先端を反応セルの内底面に１ｍｍ以内で近接配置して親水化処理を施すことを特徴とする自動分析装置用反応セルの製造方法。
【請求項１４】
請求項１に記載された自動分析装置用反応セルの製造方法において、
親水化処理を行う前に反応セル内の除電をする工程を踏むことを特徴とする自動分析装置用反応セルの製造方法。
【請求項１５】
試料と試薬を混合して濃度の測定をする自動分析装置用反応セルの製造方法において、
反応セルの内側に挿入する中空の形状を有する第１の電極と、反応セルの外側に対向配置される第２の電極を備え、
前記第１の電極を反応セルの内側に挿入する工程と、反応セルの外側に前記第２の電極を配置する工程と、
前記第１の電極と前記第２の電極に電圧を印加する放電により、少なくとも反応セルの内側表面に放電加工による親水化処理を施す工程と、
前記放電により発生したオゾンを含む気体を前記第１の電極を介して反応セルから抜いて空気と入れ替え置換する工程を有することを特徴とする自動分析装置用反応セルの製造方法。
【発明の詳細な説明】
【技術分野】
【０００１】
本発明は、検体中の被験成分を測定する自動分析装置用反応セルの製造方法に関するものである。
【背景技術】
【０００２】
自動分析装置の分野では、サンプル及び試薬の液量低減が大きな課題となっている。
【０００３】
分析項目数の増大に伴い、個々の分析項目に割り振ることのできるサンプル量が少量化し、微量サンプルの分析がルーチン的に行われるようになってきた。
【０００４】
また、試薬のコスト面からも、廃液量の削減の面からも液量低減が求められてきた。
【０００５】
こうした液量低減を実現するには、従来問題とならなかった新たな課題が生じた。
【０００６】
従来から、攪拌などにより反応セルの内壁に付着していた気泡が、反応セルが小型化したことにより、反応セル内を通過する光軸と干渉する恐れがあった。
【０００７】
特に反応セルの底部四隅についた気泡は、２つの壁面と底面の三つの面で気泡を保持するため、容易には除去できない可能性が生じてきた。気泡が生じたとすると、この反応セルに付着した気泡のため、入射光の散乱度合いが無視できなくなる。
【０００８】
また、反応セル内に残る洗浄後の水の量も液量の減少にともなって、減らす必要が生じた。
【０００９】
これらの問題を解決するために、反応セルの内壁を親水化する方法が従来検討されてきた。樹脂表面を親水化する有効な手段としては、酸素プラズマ処理、オゾン処理、オゾン水処理、コロナ放電処理などの処理方法がある。
【００１０】
そこで、オゾン水による反応セルの親水化が検討されてきた。特開２００５−７７２６３号公報（特許文献１）に示すように、オゾン水は液体であるため、反応セル内の隅々まで親水化することができ、反応セル内壁および反応セル底に付着する気泡の付着を防ぐ効果があった。
【００１１】
しかし、樹脂が必要以上に酸化され、透光性が低下する問題が生じた。自動分析装置では、反応セル自体の光吸収が増加することは、反応セルの使用期間を短くするという弊害を生じることになる。
【００１２】
また、オゾン水は、濃度を一定に保つことが難しく、処理後に洗浄および乾燥工程という煩雑な工程が必要であった。
【００１３】
オゾン水で反応セル内壁面をすべて親水化してしまうと、反応セル内の試薬が表面を伝わって、隣の反応セルに移動するという相互汚染により、分析結果に異常を生じるという問題が発生するおそれがあった。
【００１４】
親水化処理をするために、オゾン水を所望の領域のみに接触させることは困難な作業が伴う。
【００１５】
特開２００６−１２５８９７号公報（特許文献２）には、濡れ性を部分的に良くする方法が記載されている。反応容器内壁の測光面のみの濡れ性をよくするために、複雑な形状のマスキングを必要としたオゾン水処理を提案している。
【００１６】
また、オゾンを含むガスを反応セルの内壁面に吹き付けて親水化をする方法も検討されている。
【先行技術文献】
【特許文献】
【００１７】
【特許文献１】特開２００５−７７２６３号公報
【特許文献２】特開２００６−１２５８９７号公報
【発明の概要】
【発明が解決しようとする課題】
【００１８】
従来の反応セルの親水化において、オゾン水を用いて気泡付着を防ぐための十分な親水化を行うと樹脂が劣化してしまう課題、親水化領域を局所化するためのマスキングを行うと反応セルに傷を付ける課題、液体を用いた親水化は、親水化の量を制御しにくい課題が
あった。
【００１９】
また、オゾンを含むガスを吹き付ける方法では、反応セルの内壁面全体が親水化処理さ
れ、分析測定される試料液が反応セルの内壁面に沿ってせり上がるＵ字現象（メニスカス
）が反応セルの開口部まで生じ、試料液が反応セル外に拡がる恐れがある。
【００２０】
本発明の目的は、上記課題を解決し、反応セル内の所望の位置のみ親水性を良くするこ
とで、気泡が付着し難くして、サンプル（試料）及び試薬の液量低減化を図ることができ
る。
【課題を解決するための手段】
【００２１】
本発明は、試料と試薬を混合して濃度の測定をする自動分析装置用反応セルの製造方法において、反応セルの内側表面に放電加工による親水化処理が施された処理領域を有することを特徴とする。
【００２２】
本発明は、試料と試薬を混合して濃度の測定をする自動分析装置用反応セルの製造方法において、反応セルの内側に挿入する第１の電極と、反応セルの外側に対向配置される
第２の電極を備え、前記第１の電極と前記第２の電極に印加する電圧で生じる放電により、少なくとも反応セルの内側表面に放電加工による親水化処理を施すことを特徴とする。
【００２３】
更に具体的に説明する。
【００２４】
本発明は上記目的を達成するために、反応セルの親水化する処理領域を第１の電極と対向する第２の電極の間に挟んで、放電処理した。
【００２５】
反応セルは樹脂製で容器形状をしているため誘電体としての使用が可能であり、電極に被覆をしなくてもアークに移行することはないため、効率的に親水化することが可能である。
【００２６】
第１の電極を反応セル内に挿入することで、反応セルの壁面に対向電極を近接さことができるので、第１の電極と反応セルの内壁、反応セルの外壁と対向する第２の電極の間で放電し、両壁に放電処理を施すことができる。
【００２７】
また、対向する第２の電極を隣接する反応セルの間や反応セルの底面に設置することで、反応セルの周囲や底面にも放電処理を施すことができる。
【００２８】
放電処理は、空気などの酸素を含んだ雰囲気中で行うため、活性酸素種の一種であるオゾンも同時に生成する。このオゾンは、半減期が数時間と長く、処理中および処理後の反応セル内に滞留し、不特定の位置を酸化するため、電極が対向している領域以外を親水化する。
【００２９】
また、処理中に生成したオゾンは、電圧印加により放出した電子を吸着するため、放電の持続を抑制するという弊害がある。
【００３０】
そのため、開口部を備えた第１の電極（以下、中空電極と呼ぶ）を通してセル内のオゾンを含む気体を排出し、電極周囲の雰囲気を一定にすることで、一定量の処理を施す方法を発明した。
【００３１】
処理時間が非常に短く、オゾン濃度が低い場合は、処理後の反応セル内に空気を導入して、反応セル内のオゾンを排出する方法も考えられる。このとき、反応セル内に導入するガスの温度を上げることで、オゾンの分解を促進し、効果的に除去することができる。
【００３２】
また、中空電極による強制的な排出を行わず、反応セルの開口部を下方に向けて配置することで、セル内部への塵埃の落下を防ぎ、かつ放電により生成したオゾンは空気より比重が重いため、自然排出を期待することもできる。
【００３３】
また、中空電極は、オゾンを排出するだけでなく、処理ガスを導入することも可能であり、反応セル内のガス状態の制御を容易に行うことができる。処理ガスは、空気・窒素・酸素・Ａｒなどの希ガス・水蒸気あるいはそれらの混合ガスである。
【００３４】
ガスを流すための第１の電極の形状は、開口部を有していればよく、円筒形状に限らず、柱状であったり、反応セルと相似形であっても良い。
【００３５】
電極の材料としては、アルミ、ステンレス、鉄、銅、タングステンなどの導電性がある金属を用いることができる。
【００３６】
親水化領域を局所化するためには、親水化したい領域部分のみ第１の電極を太くし、対向電極との間を近接させることで、親水化領域を局所化する方法がある。
【００３７】
この方法では、反応セルが小型化するにつれて、反応セル内に挿入する棒電極も小さくなるため、ある寸法までの反応セル寸法に適している。
【００３８】
そこで、更に反応セル形状が小型化した場合は、対向電極を親水化したい領域のみに配置することで、放電を局所的に発生させることができる。これにより、第１の電極の形状によらず、局所的な親水化を行うことができる。
【００３９】
中空電極に電圧を印加した場合、中空電極と対向電極の間は、電界が形成され、放電が生じるが、中空内は無電界となっているため、放電が生じない。
【００４０】
この中空電極を反応セルの底に近接させると、中空電極の内周と反応セルの底が近接する部分には、放電がほとんど発生せず、親水化を制限することができる。
【００４１】
また、反応セル上部で中空電極にガスを流しながら電圧を印加することにより、コロナ放電によってイオン化したガスを反応セル内に導入することができる。これにより、反応セル内の帯電量の偏りを防ぐことができ、常に安定した処理を施すことができる。
【発明の効果】
【００４２】
本発明によれば、反応容器内面に気泡が付着することを防止でき信頼性の高い分析測光ができる。
【００４３】
また、放電により生成されたオゾンによる２次的な酸化による、所望の領域以外の親水化を防ぐことができる。
【００４４】
さらに従来の測光面だけの局所改質（親水化処理）では、反応セル底に付着する気泡を防ぐことができないという課題も、同時に解決することができ、分析精度の向上に貢献できる。
【発明を実施するための形態】
【００４５】
次に、本発明の実施例について、図を引用して詳細に説明する。
【００４６】
本発明は、下記の実施例に限定されるものではない。
【実施例１】
【００４７】
図１に電極の基本的な配置を示す。
【００４８】
反応セル１の内側に第１の電極２を挿入し、反応セル１の外側に対向する第２の電極３を配置する。
【００４９】
第１の電極２を高圧電源の高圧側に接続し、対向する第２の電極３を接地する。
【００５０】
第１の電極２と対向する第２の電極３と間に電圧を印加して、電極間に放電を発生させる。
【００５１】
放電により生成した活性酸素種などの反応性の高いラジカルを利用して、セル内壁４およびセル外壁５およびセル底６を親水化する。
【００５２】
電圧を印加する時間に応じて、活性酸素の一種であるオゾンが増加する。このオゾンは寿命が長く、セル内に滞留し、放電が終了した後も不特定の位置を酸化する。
【００５３】
その結果、第１の電極２と対向する第２の電極３の間に挟まれた領域以外が親水化され、品質にばらつきが生じる。
【実施例２】
【００５４】
上記の課題を解決する場合には、図１に示す電極１を図２に示すように電極７に変更する。
【００５５】
すなわち、中空、かつ下端に開口部を有する第１の電極７（以後、中空電極と呼ぶ）でオゾンを排出する。中空電極７はパイプ形状をなしており、反応セル１の内側に挿入される。
【００５６】
ガス分解装置９と中空電極７を配管８で接続する。中空電極７と対向する第２の電極３の間に高電圧を印加して、電極間に放電を発生させる。放電中に中空電極７を通して、反応セル１内のオゾン１４を吸引して排気する。
【００５７】
これにより、常に反応セル内にオゾン１４を含まない空気１３が流入することで、不要な部分の改質（親水化処理）を避けることができる。
【００５８】
親水化処理されたところは、気泡をつき難くする利点がある反面、試料液のＵ字現象（メニスカス）が生じ、反応セル外に拡がる恐れがある。このため、親水化処理が不要なところは、オゾン１４が接触しないようにオゾン１４を含まない空気１３と置換することが望ましい。
【実施例３】
【００５９】
図３に処理ガス１５を利用する場合の構成について示す。
【００６０】
反応セル１を対向電極３の間に配置し、反応セル１の内側に中空電極７を挿入する。中空電極７を高圧電源の高圧側に接続し、対向電極３を接地する。
【００６１】
ガス混合器１０と中空電極７を配管８で接続する。ガス混合器１０から、希ガスを含む処理ガス１５を反応セル１内に導入しながら、中空電極７と対向する第２の電極３の間に高電圧を印加して、電極間に放電を発生させる。
【００６２】
ガス混合器から供給される希ガスは、電子衝突により、一度励起状態になり、準安定な状態に遷移する。
【００６３】
これにより、反応セル内のガスが高いエネルギー順位にあるため、安定した放電を容易に発生させることができる。
【００６４】
放電により生成した活性酸素種などの反応性の高いラジカルを利用して、反応セルの内壁４及び反応セルの底６あるいは反応セルの外壁５を親水化する。
【００６５】
活性酸素種の１種であるオゾンは寿命が長いため、処理ガスを導入するとともに反応セル外に排出する。放電終了後は、清浄な空気や窒素ガスなどの不活性ガスを導入して、品質の変化を防ぐ。
【００６６】
これにより、従来、処理直後に残留していたオゾンによる不要な改質（親水化処理）を削減でき、親水化の局所化が明確にできるようなる。
【実施例４】
【００６７】
図４に反応セルの外側のガスを吸引する場合の構成について示す。
【００６８】
反応セル１を対向電極３の間に配置し、反応セル１の内側に電極２を挿入する。
【００６９】
電極２を電源の高圧側に接続し、対向電極３を接地する。
【００７０】
放電中に生成するオゾンなどのガスを対向する第２の電極３の下方に設けたガス吸気口から、活性炭などのガス分解装置９を通して排気する。
【００７１】
これにより、処理開始前と同じ雰囲気下で処理することができるため、反応セルの外面の不要な箇所の改質（親水化処理）を避けることができる。
【実施例５】
【００７２】
図５に反応セルの上下を反転（逆さ）させた構成について示す。
【００７３】
反応セル１の開口部を下方に向けて、対抗電極３の間に配置し、反応セル１の内側に下側から電極２を挿入する。
【００７４】
電極２を高圧電源の高圧側に接続し、対向する第２の電極３を接地する。このような配置で処理することで、空気より比重の重いオゾンなどのガスを自然排出することができ、積極的な吸排気設備がなくとも安定した処理ができるようになる。
【００７５】
また、外部からの塵埃の混入も同時に防ぐことができるため、反応セルの品質を高めることができる。
【実施例６】
【００７６】
図６に横断面が矩形の中空形状の電極を用いた場合の構成を示す。
【００７７】
反応セル１を対向電極３の間に配置し、反応セル１の内側に矩形中空電極７ａを挿入する。矩形中空電極７ａを高圧電源の高圧側に接続し、対向電極３を接地する。
【００７８】
ガス分解装置９と中空電極を配管８で接続する。中空電極７ａと対向電極３の間に高電圧を印加して、電極間に放電を発生させる。
【００７９】
放電により生成した活性酸素種などの反応性の高いラジカルを利用して、反応セル１の内壁４及び反応セル１の底６あるいは反応セル１の外壁５を親水化する。
【００８０】
このとき、電極形状が矩形状であることにより、反応セル１のコーナーに強い電界を形成することができる。
【００８１】
これにより、気泡が付着しやすい四隅を効果的に親水化することができる。
【００８２】
また、放電中に矩形の中空電極７ａを通して、反応セル内の空気を吸引し、活性炭などのガス分解装置９を通して排気する。
【００８３】
これにより、常に反応セル内はオゾンを含まない雰囲気ガスが流入することで、不要な箇所の改質（親水化処理）を避けることができる。
【実施例７】
【００８４】
図７に中空電極による局所親水化を行う構成を示す。
【００８５】
中空電極７を高圧電源の高圧側に接続し、対向電極３を接地する。反応セル１を対向する第２の電極３の間に配置し、反応セル１の内側に中空電極７を反応セルの底６付近まで挿入する。
【００８６】
中空電極７と対向する第２の電極３の間に高電圧を印加して、電極間に放電を発生させる。
【００８７】
このとき、中空電極内の無電界領域７ｂと反応セルの底が近接しているため、中空電極直下の反応セルの底６ａのみ、親水化を制限することができる。７ａは矩形状の開口部を有する第１の電極の外側である。
【００８８】
放電により生成した活性酸素種などの反応性の高いラジカルを利用して、反応セルの内壁４及び反応セルの底６ｂあるいは反応セルの外壁５を親水化する。
【００８９】
図８に反応セルの底にサンプルプローブ１１を用いて分注した場合の違いについて示す。
【００９０】
反応セルの底６をすべて親水化した反応セルの底の親水面６ａにサンプル１２を分注した場合、反応セルの底６ａの濡れ性が高いため、付着したサンプル１２が反応セル底面を広がって、想定量より多く分注される。
【００９１】
そこで、従来と同様、反応セルの底の非親水化面６ｂに分注することで、特段の変更を必要とせずに正確に分注することができる。また、それ以外の部分は親水化されているために、気泡付着などの影響を防ぐことができる。
【実施例８】
【００９２】
図９に中空電極７を用いて除電を行う構成について示す。
【００９３】
反応セル１の開口部より上の位置で，中空かつ開口部を有する第１の電極７（以後、中空電極と呼ぶ）に空気を流す。
【００９４】
次に中空電極７に高電圧を印加する。中空電極７と対向する第２の電極３の距離が離れているため、中空電極７の先端近傍にコロナ放電が発生する。
【００９５】
このコロナ放電領域１６を通過し、正負にイオン化された空気１７を反応セル１内に導入して、除電を行う。その後、中空電極７を反応セル１内に挿入して放電させる。
【００９６】
これにより、反応セルの帯電による電界強度の減少を防ぎ、電極間で安定した放電を発生させ、親水化の量を一定にすることができる。４ａは、反応セル内側親水化領域である。
【００９７】
その他の実施例について説明する。
【００９８】
第１の電極は、親水化処理のために放電するところが非放電のところよりも太く、放電するところが前記非放電のところよりも前記第２の電極に近接している構成とする。これにより、不要な箇所の親水化処理の改質を避けることができる。
【００９９】
上記の各実施例に共通するが、親水化処理の処理領域は反応セルの底部から開口に向かう途中まで存在するように形成される。
【０１００】
これは、反応セルの深さ方向の丈よりも第２の電極の丈を低くした構成によるものである。この構成により、第２の電極の丈範囲が放電により親水化処理される。親水化処理領域と非親水化処理領域の境界は、境界が横に走るように延在する。親水化処理領域と非親水化処理領域の境界がはっきりする良さがある。
【０１０１】
また、上述した放電は、コロナ放電が主体である。この放電が親水化処理のためのオゾンを安定して発生することができる。
【０１０２】
更に反応セルの内側だけを親水化する実施例について説明する。
【０１０３】
反応セル１の外側に反応セル１と同じ材質の板を重ねた反応セル１の内側に第１の電極２を挿入し、反応セル１の外側に対応する第２の電極を配置する。第１の電極２を高圧電源の高圧側に接続し、対向する第２の電極３を接地する。
【０１０４】
そして、第１の電極２と対向する第２の電極３との間に電圧を印加して放電させる。放電により生成した活性酸素種などの反応性の高いラジカルを利用してセル内壁４のみを親水化する。
【図面の簡単な説明】
【０１０５】
【図１】本発明の実施例１にかかわるもので、電極と反応セルの配置関係を示す電極    配置図。
【図２】本発明の実施例２にかかわるもので、中空電極（第１の電極）を用いてオゾ    ンを排出する構成を示す電極構成図。
【図３】本発明の実施例３にかかわるもので、中空電極（第１の電極）を用いて処理    ガスを導入する構成を示す構成図。
【図４】本発明の実施例４にかかわるもので、第２の電極の周囲のガスを排出する構    成を示す構成図。
【図５】本発明の実施例５にかかわるもので、反応セルの開口部を下方に向けた（逆    さ）構成を示す電極構成図。
【図６】本発明の実施例６にかかわるもので、矩形状の開口部を有する第１の電極を    用いた構成を示す構成図。（ａ）は正面図である。（ｂ）は平面図である。
【図７】本発明の実施例７にかかわるもので、中空電極の無電界部分を近接させた構    成を示す構成図。（ａ）は正面図である。（ｂ）は平面図である。
【図８】本発明の実施例７にかかわるもので、反応セルの底部の一部分の親水化処理    を施したものと、一部分の親水化未処理のものとにサンプルプローブを挿入して比べ    るところを示す概念図。（ａ）は、親水化処理を施したものとを示す。（ｂ）は親水    化未処理のものを示す。
【図９】本発明の実施例８にかかわるもので、中空電極を除電装置のノズルとして用    いた構成を示す構成図。
【符号の説明】
【０１０６】
１…反応セル、２…第１の電極、３…対向する第２の電極、４…反応セル内側、４ａ…反応セル内側親水化領域、５…反応セル外側、６…反応セル底、６ａ…反応セル底親水面、６ｂ…反応セル底非親水面、７…中空かつ開口部を有する第１の電極、７ａ…矩形状の開口部を有する第１の電極の外側、７ｂ…中空かつ開口部を有する第１の電極内の無電界領域、８…配管、９…ガス分解装置、１０…ガス混合器、１１…サンプルプローブ、１２…サンプル、１３…空気、１４…オゾン、１５…処理ガス、１６…コロナ領域、１７…イオン化された空気。
【図１】
2011247904.tif 000003
【図２】
2011247904.tif 000004
【図３】
2011247904.tif 000005
【図４】
2011247904.tif 000006
【図５】
2011247904.tif 000007
【図６】
2011247904.tif 000008
【図７】
2011247904.tif 000009
【図８】
2011247904.tif 000010
【図９】
2011247904.tif 000011